(57)【特許請求の範囲】
【請求項１】
画像データ及びビットマップデータを記憶した記憶手段と、
入力された画像データに基づく画像を表示する表示手段と、
入力された画像データを前記記憶手段に書き込み、前記記憶手段に記憶されている画像データを入力された画像データに更新する画像データ更新手段と、
前記記憶手段に記憶されている画像データ及びビットマップデータを読み出して、読み出した画像データに基づく画像に読み出したビットマップデータに基づく画像を重ね合わせた重畳画像を示す画像データを生成して、前記表示手段及び前記画像データ更新手段に入力する重畳画像データ生成手段と、
前記記憶手段に記憶されている前記ビットマップデータが読み出された後、他のビットマップデータを前記記憶手段に書き込み、前記記憶手段に記憶されているビットマップデータを他のビットマップデータに更新するビットマップデータ更新手段と、
を有することを特徴とするオンスクリーンディスプレイ装置。
【請求項２】
前記記憶手段から重畳画像データ生成手段への前記画像データ及び前記ビットマップデータの読出し、及び画像データ更新手段から前記記憶手段への前記画像データの書き込みをＤＭＡ転送により行う、
ことを特徴とする請求項１に記載のオンスクリーンディスプレイ装置。
【請求項３】
前記重畳画像データ生成手段は、２つのラインメモリを有し、前記記憶手段から読み出した前記ビットマップデータを前記２つのラインメモリに交互に書き込むと共に、書き込んだ前記ビットマップデータを前記２つのラインメモリから交互に読み出し、前記記憶手段から読み出した画像データに基づく画像に前記２つのラインメモリから読み出したビットマップデータに基づく画像を重ね合わせる、
ことを特徴とする請求項１または請求項２に記載のオンスクリーンディスプレイ装置。
【請求項４】
前記画像データ更新手段は、ＤＭＡ転送の際に利用されるラインメモリを含む、
ことを特徴とする請求項２または請求項３に記載のオンスクリーンディスプレイ装置。
【発明の詳細な説明】
【０００１】
【発明の属する技術分野】
本発明は、オンスクリーンディスプレイ装置に係わり、特に、画像データに基づく画像にビットマップデータに基づく画像を重ね合わせて表示手段に表示させるオンスクリーンディスプレイ装置に関する。
【０００２】
【従来の技術】
従来より、デジタルカメラには、被写体を撮像して得られた被写体像上に、ビットマップ画像を重畳してＬＣＤ（Liquid Crystal Display：液晶ディスプレイ）などの表示手段に表示する所謂オンスクリーン機能を備えているものがある。
【０００３】
詳しくは、図７に示すように、撮影により得られホワイトバランス調整やＹＣ変換といった所定の処理が施された画像データ（ＹＣデータ）と、ＲＯＭ（図示省略）から読み出したメニューやストロボマークといった重畳して表示したい各種のビットマップデータとがＳＤＲＡＭ２００などの記憶手段に一旦格納される。このときそれぞれのビットマップデータには、後述するテーブルＲＡＭ２０６のアドレスを指定するアドレスデータも含まれている。
【０００４】
その後、画像データについては、エンコーダ（ＥＮＣＤ）２０８に転送される。ビットマップデータについては、ＳＤＲＡＭ２００から読み出され、ＤＭＡ転送にて転送されて２つのラインメモリ２０２Ａ、２０２Ｂに１ラインずつ交互に書き込まれ、２つのラインメモリ２０２Ａ、２０２Ｂに書き込まれたデータは、１ラインずつ交互に読み出されて、制御回路２０４を介してテーブルＲＡＭ２０６に入力される。テーブルＲＡＭ２０６には、予めビットマップデータをＹＣデータに変換するための変換テーブルが記憶されており、ビットマップデータに含まれているアドレスデータを参照し、該アドレスデータによって指定されるアドレスに格納されているＹＣデータを変換テーブルから読み出すことによりビットマップデータをＹＣデータに変換してエンコーダ２０８へと出力され、エンコーダ２０８において、画像データ（ＹＣデータ）と合わせられ、画像データが示す被写体像上に各種のビットマップデータが重畳された状態を示すＮＴＳＣ（National TV Standards Committee）信号に変換される。この変換されたＮＴＳＣ信号がＬＣＤなどの表示手段に供給することにより、被写体を撮像して得られた被写体像上に、ビットマップ画像が重畳して表示される。
【０００５】
ところで、装置全体の低コスト化のために、上記ＳＤＲＡＭなどの記憶手段のメモリ容量を削減することも求められている。このためには、特開平９−６３２６号公報に記載されているように、ビットマップデータであるキャラクタ画像データを圧縮した状態でＲＯＭに記憶しておき、キャラクタ画像データをＲＡＭに格納する際には圧縮した状態のままとし、重畳表示するためにＲＡＭから読み出した後で展開することが考えられる。
【０００６】
【発明が解決しようとする課題】
しかしながら、従来技術では、重畳したいビットマップデータをＲＯＭから一度に全て読み出してＲＡＭに格納するため、特開平９−６３２６号公報に記載の技術を適用して各ビットマップデータを圧縮しておいても、ビットマップデータの個数が増えると、やはり大きなメモリ容量の記憶手段が必要になるという問題があった。
【０００７】
本発明は上記問題点を解消するためになされたもので、記憶手段のメモリ容量を削減可能なオンスクリーンディスプレイ装置を提供することを目的とする。
【０００８】
【課題を解決するための手段】
上記目的を達成するために、請求項１に記載の発明は、画像データ及びビットマップデータを記憶した記憶手段と、入力された画像データに基づく画像を表示する表示手段と、入力された画像データを前記記憶手段に書き込み、前記記憶手段に記憶されている画像データを入力された画像データに更新する画像データ更新手段と、前記記憶手段に記憶されている画像データ及びビットマップデータを読み出して、読み出した画像データに基づく画像に読み出したビットマップデータに基づく画像を重ね合わせた重畳画像を示す画像データを生成して、前記表示手段及び前記画像データ更新手段に入力する重畳画像データ生成手段と、前記記憶手段に記憶されている前記ビットマップデータが読み出された後、他のビットマップデータを前記記憶手段に書き込み、前記記憶手段に記憶されているビットマップデータを他のビットマップデータに更新するビットマップデータ更新手段と、を有することを特徴としている。
【０００９】
請求項１に記載の発明によれば、重畳画像データ生成手段により、記憶手段から画像データ及びビットマップデータが読み出されて、当該画像データに基づく画像に所定のビットマップデータに基づく画像を重ね合わせた重畳画像を示す画像データが生成される。表示手段では、この生成された重畳画像を示す画像データに基づいて画像表示を行い、これにより表示手段に重畳画像が表示される。
【００１０】
また、重畳画像データ生成手段により生成された重畳画像を示す画像データは、画像データ更新手段により記憶手段にも転送されて該記憶手段に書き込まれ、該記憶手段に記憶されている画像データの記憶が重畳画像を示す画像データに更新される（この更新記憶された画像データのことを「新たな画像データ」と称す）。一方、記憶手段に記憶されているビットマップデータについては、ビットマップデータ更新手段により、他のビットマップデータに記憶が更新されるので、次の重畳画像データ生成手段の処理では、新たな画像データと他のビットマップデータを読み出して、新たな画像データに基づく画像に他のビットマップデータに基づく画像を重ね合わせた重状画像を示す画像データが生成される。
【００１１】
すなわち、画像データにビットマップデータを重畳して新たな画像データを生成し、この新たな画像データに他のビットマップデータを重畳させてさらに新たな画像データとし、…と繰返すことで、最初の画像データに重畳表示したいビットマップデータを順番に重ね合わせていくことができ、且つ最初の画像データに重状表示したいビットマップデータを一度に全て読み出して記憶手段に記憶させる必要がなく、従来よりもメモリ容量を削減可能である。
【００１２】
なお、処理時間の短縮のためには、請求項２に記載されているように、前記記憶手段から重畳画像データ生成手段への前記画像データ及び前記ビットマップデータの読出し、及び画像データ更新手段から前記記憶手段への前記画像データの書き込みをＤＭＡ転送により行うようにするとよい。また、請求項３の発明は、前記重畳画像データ生成手段は、２つのラインメモリを有し、前記記憶手段から読み出した前記ビットマップデータを前記２つのラインメモリに交互に書き込むと共に、書き込んだ前記ビットマップデータを前記２つのラインメモリから交互に読み出し、前記記憶手段から読み出した画像データに基づく画像に前記２つのラインメモリから読み出したビットマップデータに基づく画像を重ね合わせる、ことを特徴としている。また、請求項４の発明は、前記画像データ更新手段は、ＤＭＡ転送の際に利用されるラインメモリを含むことを特徴としている。
【００１３】
【発明の実施の形態】
以下、図面を参照して、本発明の実施の形態について詳細に説明する。なお、以下では、本発明のオンスクリーンディスプレイ装置をデジタルカメラに適用した場合について説明する。
【００１４】
図１に示すように、本実施の形態に係るデジタルカメラ１０の背面には、本発明の表示手段として、撮影によって得られた被写体像、各種メニュー、静止画／動画撮影モードマーク、日付け、バッテリー残量、ストロボマーク、画像処理に関するパラメータ、メッセージ等を表示するための液晶ディスプレイ１４と、液晶ディスプレイ１４への各種表示を実行する際に押圧操作される表示ボタン２０と、撮影を実行する際に被写体の構図等を決定するためのファインダー１８と、撮影モードとしてオート撮影、マニュアル撮影、連写撮影、動画撮影の何れか１つを選択する際に回転操作されるダイヤル２３と、液晶ディスプレイ１４に表示されたメニュー画面から所望のメニュー項目又はパラメータを選択するための十字ボタン１６と、が設けられている。
【００１５】
また、デジタルカメラ１０の側面には、撮影によって得られた画像データをデジタルデータとして記憶する可搬型の記憶メディア（本実施の形態では、スマートメディア）をデジタルカメラ１０に装着する際に当該記憶メディアが装着される記憶メディアインタフェース（以下、「記憶メディアＩ／Ｆ」という。）４６（図２参照、図１では図示省略）が設けられている。
【００１６】
更に、デジタルカメラ１０の上面には、デジタルカメラ１０の各部への電源電力の供給／供給停止の切り替えを行う電源スイッチ２１と、撮影を実行する際にユーザーによって押圧操作されるシャッタスイッチ（所謂レリーズスイッチ）２２と、が設けられており、デジタルカメラ１０の正面には、被写体像を結像させるためのレンズ３２と、露光に際して被写体が適正な露光光量が得られない低照度の場合に発光されるストロボ３６と、が備えられている（デジタルカメラ１０の上面及び正面は図示省略、図２参照）。
【００１７】
次に、図２を参照して、本実施の形態に係るデジタルカメラ１０の電気系の構成を説明する。
【００１８】
同図に示すように、デジタルカメラ１０は、レンズ３２を通過した被写体像を示す入射光に基づき被写体を撮像して被写体像を示すアナログ画像信号を出力するＣＣＤ（Charge Coupled Device）２８と、入力された信号に対して所定のアナログ信号処理を施すアナログ信号処理部４０と、入力されたアナログ信号をデジタル信号に変換するアナログ／デジタル変換器（以下、「Ａ／Ｄ変換器」という。）４２と、入力されたデジタル信号に対して所定のデジタル信号処理を行うＤＳＰ（Digital Signal Processor）２６と、主として被写体像を示すデジタル信号によって示される情報を記憶する本発明の記憶手段としてのＳＤＲＡＭ（Synchronous Dynamic Random Access Memory）４８と、各種プログラムや所定データ等の情報を記憶するためのフラッシュＲＯＭ（Flash Read Only Memory）５０と、レンズ３２を光軸方向に移動させるモータ（図示省略）を駆動するための駆動信号を生成するモータドライバ３４と、ＣＣＤ２８に対する撮影時のタイミング制御を行うＣＣＤ制御部３０と、ストロボ３６の発光の制御を行うストロボ制御部３８と、を備えている。
【００１９】
ＣＣＤ２８の出力端はアナログ信号処理部４０の入力端に、アナログ信号処理部４０の出力端はＡ／Ｄ変換器４２の入力端に、Ａ／Ｄ変換器４２の出力端はＤＳＰ２６の入力端に、各々接続されている。また、ＤＳＰ２６及びＳＤＲＡＭ４８は共にメインバスＭＢに接続されており、ＣＣＤ２８から出力された被写体像を示すアナログ画像信号は、アナログ信号処理部４０により所定のアナログ信号処理が施され、次いでＡ／Ｄ変換器４２によりデジタル画像信号に変換された後、ＤＳＰ２６により所定のデジタル信号処理が施されてデジタル画像データとしてＳＤＲＡＭ４８に一旦記憶される。
【００２０】
より詳しくは、ＤＳＰ２６では、デジタル画像信号に対して、光源種に応じたデジタルゲインをかけることでホワイトバランス調整を行うと共に、ガンマ処理及びシャープネス処理を行って所定のデジタル画像データを生成し、更にＹＣ変換処理して、輝度データＹとクロマデータＣｒ、Ｃｂ（以下「ＹＣデータ」という）を生成し、このＹＣデータを被写体像を表すデジタル画像データとしてＳＤＡＭに格納する。
【００２１】
一方、記憶メディアＩ／Ｆ４６及び液晶ディスプレイ１４はＤＳＰ２６に接続されており、ＳＤＲＡＭ４８に記憶されたデジタル画像データは、必要に応じてＤＳＰ２６を介して記憶メディアＩ／Ｆ４６に装着されたスマートメディアに記憶され、画像再生時にはスマートメディアに記憶された再生対象とするデジタル画像データがＤＳＰ２６によって読み出され、液晶ディスプレイ１４に表示される。
【００２２】
また、デジタルカメラ１０は、音声によりデジタル画像データにコメント等を付加できるボイスメモ機能、及び動画像を音声と共に記憶できる動画撮影機能を備えている。これらの機能は音声データを再生する機能を必要としており、このために、デジタルカメラ１０には、音声データを再生するスピーカ、ヘッドホン等の再生手段との間の電気的な接続を司るオーディオインタフェース（以下、「オーディオＩ／Ｆ」という。）４４が備えられている。このオーディオＩ／Ｆ４４はＤＳＰ２６に接続されており、ＤＳＰ２６を介して音声データが再生される。
【００２３】
一方、デジタルカメラ１０は、デジタルカメラ１０全体の動作を司るＣＰＵ（中央演算処理装置）２４を更に備えている。このＣＰＵ２４には、電源スイッチ２１、シャッタスイッチ２２、十字ボタン１６が接続されており、ＣＰＵ２４はこれらのスイッチ乃至ボタンのユーザーによる操作状態を常時把握できる。
【００２４】
更に、ＣＰＵ２４には、ＣＣＤ制御部３０、モータドライバ３４、ストロボ制御部３８、ＤＳＰ２６、オーディオＩ／Ｆ４４、液晶ディスプレイ１４が接続されており、ＣＰＵ２４は、これら各部の作動を制御する。
【００２５】
なお、ＣＰＵ２４及びフラッシュＲＯＭ５０は共にメインバスＭＢに接続されており、ＣＰＵ２４は、ＳＤＲＡＭ４８及びフラッシュＲＯＭ５０に任意にアクセスすることができる。特に本発明に係わるものして、フラッシュＲＯＭ５０には、各種メニュー、静止画／動画撮影モードマーク、日付け、バッテリー残量、ストロボマーク、画像処理に関するパラメータ、メッセージなどを示す各種のビットマップデータが予め格納されている。このビットマップデータは、ＣＰＵ２４（？）の制御により、必要なものが１つずつ順番にフラッシュＲＯＭ５０から読み出されてＳＤＲＡＭ４８に上書き記憶され、ＳＤＲＡＭ４８のビットマップデータの記憶が更新されるようになっている。すなわち、ＣＰＵ２４が本発明のビットマップ更新手段に対応する。
【００２６】
ところで、本実施の形態に係るデジタルカメラ１０には、撮影によって得られた被写体像上に各種メニュー、静止画／動画撮影モードマーク、日付け、バッテリー残量、ストロボマーク、画像処理に関するパラメータ、メッセージなどを示す各種の各種のビットマップデータを重畳して液晶ディスプレイ１４に表示させるＯＳＤ（On Screen Display）機能が備えられている。このため、デジタルカメラ１０には、ＤＳＰ２６上にＯＳＤ回路６０を備えている。
【００２７】
このＯＳＤ回路６０は、図３に示すように、ＳＤＲＡＭ４８からデジタル画像データ（ＹＣデータ）及びビットマップデータが転送されて入力されるようになっている。
【００２８】
また、このＯＳＤ回路６０は、ＳＤＲＡＭ４８から転送されてきたビットマップデータを記憶するための２つのラインメモリ６２Ａ、６２Ｂを備えたメモリ回路６２と、２つのラインメモリ６２Ａ、６２Ｂからビットマップデータを交互に読み出す制御回路６４と、制御回路６４によって読み出されたビットマップデータをＹＣデータに変換するテーブルＲＡＭ６６と、ＳＤＲＡＭ４８から転送されてきたデジタル画像データ（ＹＣデータ）とＹＣデータに変換されたビットマップデータとを合成し、撮影によって得られた被写体像上にビットマップデータを重畳した状態を示すデジタル画像データ（ＹＣデータ）を生成する合成回路６８を備えている。これらメモリ回路６２、制御回路６４、テーブルＲＡＭ６６、及び合成回路６８により本発明の重畳画像データ生成手段が構成されている。
【００２９】
合成回路６８の出力は２方向に分岐されており、分岐された一方はＯＳＤ回路６０の出力とされ、ＤＳＰ２６上に設けられているエンコーダ７０と接続されている。合成回路６８で生成されたデジタル画像データ（ＹＣデータ）は、エンコーダ７０によりＮＴＳＣ信号に変換されて液晶ディスプレイ１４へと出力されるようになっている。
【００３０】
また、ＯＳＤ回路６０には、本発明の画像データ更新手段として、合成回路６８により生成されたデジタル画像データ（ＹＣデータ）を新しいデジタル画像データとしてＳＤＲＡＭ４８へ転送するためのラインメモリ７２が備えられている。このラインメモリ７２には、合成回路６８の分岐された他方の出力と接続されており、ラインメモリ７２では合成回路６８により生成されたデジタル画像データ（ＹＣデータ）が１ライン分記憶したら、ＳＤＲＡＭ４８へと転送し、ＳＤＲＡＭ４８のデジタル画像データの記憶を更新するようになっている。すなわち、合成回路６８の出力とＳＤＲＡＭ４８とをラインメモリ７２を介して接続することによって、合成回路６８で生成されたデジタル画像データ（ＹＣデータ）を新しいデジタル画像データとしてＳＤＲＡＭ４８へ転送する（戻す）転送回路が形成されている。
【００３１】
また、ＳＤＲＡＭ４８と、ラインメモリ６２若しくはラインメモリ７２との間のデータ転送は、処理の高速化のために、図示しないＤＭＡコントローラによりＣＰＵ２４を介さずにデータを転送する所謂ＤＭＡ（Direct Memory Access）転送が行われるようになっている。
【００３２】
次に、本実施の形態の作用を説明する。本実施のデジタルカメラ１０は、電源スイッチ２１の操作により起動される。ユーザは、被写体の撮影を行うときには、不図示の切替スイッチを操作して撮影モードに切換えると共に、ダイヤル２３を操作して撮影モードの種類を選択し、その後にファインダー１８を覗きながら被写体の構図を決定し、シャッタスイッチ２２を押圧操作する。これにより被写体像を示すデジタル画像データが生成され、スマートメディアに記憶される。
【００３３】
また、既に撮影した画像を液晶ディスプレイ１４に表示するときには、ユーザは、不図示の切り替えスイッチを操作して再生モードに切換えると共に、十字ボタン１６を操作するなどして再生したいデジタル画像データを指定すると、液晶ディスプレイ１４に該デジタル画像データに基づく画像が表示される。
【００３４】
ところで、液晶ディスプレイ１４には、デジタル画像データ以外にも、各種メニュー、静止画／動画撮影モードマーク、日付け、バッテリー残量、ストロボマーク、画像処理に関するパラメータ、メッセージなどのビットマップデータも必要に応じて表示される。これら各種メニュー、静止画／動画撮影モードマーク、日付け、バッテリー残量、ストロボマーク、画像処理に関するパラメータ、メッセージなどのビットマップデータは、デジタル画像データに基づく画像（被写体像）の表示時には、ＯＳＤ回路６０により該被写体像上に重畳されて表示されるようになっている。
【００３５】
以下、図４、図５を参照して、このときのＯＳＤ回路６０の動作について説明する。なお、図４は、ＳＤＲＡＭ４８に格納されるデータを示す図であり、図５は、ＯＳＤ回路６０で行われる処理を示すフローチャートである。
【００３６】
被写体像にビットマップデータを重畳表示する場合、図４（Ａ）に示すように、ＳＤＲＡＭ４８には被写体像を表すデジタル画像データ（ＹＣデータ）が予め格納されている。また、被写体像上に重畳表示したいビットマップデータもフラッシュＲＯＭ５０から読み出されて、ＳＤＲＡＭ４８に格納されるが、重畳表示したいビットマップデータが複数ある場合には、まず１つ目のビットマップデータとして、ビットマップデータＡのみがフラッシュＲＯＭ５０から読み出されてＳＤＲＡＭ４８に格納される。
【００３７】
その後、図５に示すように、ＯＳＤ回路６０により、ステップ１００において、ＳＤＲＡＭ４８に格納されているデジタル画像データ（ＹＣデータ）のＤＭＡ転送が開始され、ＳＤＲＡＭ４８からデジタル画像データ（ＹＣデータ）が読み出されて合成回路６８へ入力される。また同時に、次のステップ１０２において、ＳＤＲＡＭ４８に格納されているビットマップデータ（図４（Ａ）の例ではビットマップデータＡ）のＤＭＡ転送が開始される。これにより、ＳＤＲＡＭ４８からビットマップデータ（ビットマップデータＡ）が読み出されてラインメモリ６２Ａ、６２Ｂに１ラインずつ交互に書き込まれ、ラインメモリ６２Ａ、６２Ｂからビットマップデータが交互に読み取られ、制御回路６４を介してテーブルＲＡＭ６６に入力される。そして、次のステップ１０４において、テーブルＲＡＭ６６でビットマップデータがＹＣデータに変換された後、合成回路６８に入力される。
【００３８】
次のステップ１０６では、合成回路６８において、ＹＣデータに変換されたビットマップデータをＳＤＲＡＭ４８から転送されたデジタル画像データ（ＹＣデータ）と合成し、デジタル画像データが表す被写体像上に、ビットマップデータが重畳された状態を表すデジタル画像データ（ＹＣデータ）を生成する。
【００３９】
合成回路６８で生成されたデジタル画像データ（ＹＣデータ）は、ステップ１０８でエンコーダ７０へ出力されると共に、ステップ１１０でラインメモリ７２へ新しいデジタル画像データとして転送される。エンコーダ７０では合成回路６８で生成されたデジタル画像データ（ＹＣデータを）ＮＴＳＣ信号に変換して液晶ディスプレイ１４へと出力し、これにより、液晶ディスプレイ１４にはデジタル画像データが表す被写体像上に、ビットマップデータが重畳されて表示される。
【００４０】
なお、本実施の形態では、複数のビットマップデータを重畳表示したい場合は、１つずつ重畳表示されるビットマップデータが追加されて液晶ディスプレイ１４に表示されていくようになっているが、本発明はこれに限定されるものではない。表示したい全てのビットマップデータが重畳された状態のデジタル画像データ（ＹＣデータ）が生成されたら初めてエンコーダ７０へ該デジタル画像データが出力されるようにして、表示したい全てのビットマップデータが重畳された状態となってから液晶ディスプレイに表示されるようにしてもよい。
【００４１】
そして、新しいデジタル画像データがラインメモリ７２へ１ライン分転送されたら、次のステップ１１２からステップ１１４へと進み、ＳＤＲＡＭ４８へ新しいデジタル画像データが転送され、重畳したいビットマップデータが残っている場合は、次のステップ１１６で否定判定されてステップ１００に戻り同様の処理を繰り返す。
【００４２】
ここで、複数のビットマップデータを重畳表示したい場合は、前述のステップ１００で１つ目のビットマップデータのＤＭＡ転送が開始された後、ＣＰＵ２４の制御により、フラッシュＲＯＭ５０から次のビットマップデータを読み出してＳＤＲＡＭ４８に格納する処理が開始されている。したがって、このときＳＤＲＡＭ４８には、図４（Ｂ）に示すように、次のビットマップデータとしてビットマップデータＡとは異なるビットマップデータＢが格納されており、今度は新しいデジタル画像データとこのビットマップデータＢとを重畳するための処理が行われる。その後、同様の処理を繰返し行って、重畳表示したい全てのビットマップデータについての重畳処理を終了したら、ステップ１１６で肯定判定されてＯＳＤ回路６０の処理は終了する。
【００４３】
このように処理することにより、例えば図６（Ａ）に示すような被写体像を示すデジタル画像データに、（Ｂ）に示す如く１つ目のビットマップデータＡが重畳され、続いて（Ｃ）に示す如く２つ目のビットマップデータＢ、最後に（Ｄ）に示す如く３つ目のビットマップデータＣが重畳される、被写体像上にビットマップデータＡ、Ｂ、Ｃを重畳表示することができる。なお、図６では、撮影モードを示すマークをビットマップデータＡ、バッテリー残量を示すマークをビットマップデータＢ、撮影日を示す年月日をビットマップデータＣとした例である。すなわち、複数のビットマップデータを被写体像上に重畳表示することができる。
【００４４】
また、上記のようにＯＳＤ回路６０において１つのビットマップデータを重畳処理したら、新しいデジタル画像データとしてＳＤＲＡＭ４８に戻して用いることで、ＳＤＲＡＭ４８にはまず１つ目のビットマップデータが格納され、該格納した１つ目のビットマップデータをＯＳＤ回路６０へ転送されたら、２つ目のビットマップが格納され、２つ目のビットマップデータが転送されたら３つ目…というように、複数のビットマップデータを重畳表示する場合でも、ＳＤＲＡＭ４８にはフラッシュＲＯＭ５０から１つずつビットマップデータを順番に読み出して格納すればよい。したがって、ＳＤＲＡＭ４８が必要とするメモリ容量はデジタル画像データ（ＹＣデータ）分の他には、ビットマップデータ１つ分だけでよく、従来のよりもＳＤＲＡＭ４８のメモリ容量を削減することができる。
【００４５】
なお、上記では、本発明をデジタルカメラに適用した場合を例に説明したが、本発明はこれに限定されるものではなく、デジタルカメラ以外の装置にも適用可能である。画像を表示する表示手段を有する装置、例えば、携帯電話、ＰＤＡ（Personal Data Assistants）などの携帯端末などに適用することもできる。
【００４６】
また、上記では、本発明の記憶手段としてＳＤＲＡＭを用いた場合を例に説明したが、本発明はこれに限定されるものではなく、ＶＲＡＭなど他の書換え可能なメモリを用いることもできる。
【００４７】
【発明の効果】
上記に示したように、本発明は、記憶手段のメモリ容量を削減可能であるという優れた効果を有する。
【図面の簡単な説明】
【図１】  本発明の実施の形態に係わるデジタルカメラの背面を示す外観図である。
【図２】  本発明の実施の形態に係わるデジタルカメラの電気系の構成を示すブロック図である。
【図３】  本発明の実施の形態に係わるＯＳＤ回路の詳細構成を示すブロック図である。
【図４】  （Ａ）、（Ｂ）は、本発明の実施の形態に係わるＳＤＲＡＭに格納されるデータを説明するための図である。
【図５】  本発明の実施の形態に係わるＯＳＤ回路で行われる処理を示すフローチャートである。
【図６】  （Ａ）〜（Ｄ）は、被写体像上にＯＳＤ回路により複数のビットマップデータが１つずつ順番に重畳されていく様子の一例を示す図である。
【図７】  従来のオンスクリーン機能の回路構成の一例を示すブロック図である。
【符号の説明】
１０ デジタルカメラ
１４ 液晶ディスプレイ
２６ ＤＳＰ回路
４８ ＳＤＲＡＭ
５０ フラッシュＲＯＭ
６０ ＯＳＤ回路
６２ メモリ回路
６２Ａ、６２Ｂ     ラインメモリ
６４ 制御回路
６８ 合成回路
７０ エンコーダ
７２ ラインメモリ
【図１】
0003996437.tif 000002
【図２】
0003996437.tif 000003
【図３】
0003996437.tif 000004
【図４】
0003996437.tif 000005
【図５】
0003996437.tif 000006
【図６】
0003996437.tif 000007
【図７】
0003996437.tif 000008